(57)【要約】【課題】測定対象にプローブを確実に接触させる。【解決手段】プローブ１１と、プローブ１１を保持する保持部１３とを備え、プローブ１１は、外側端子２１と、外側端子２１の内部に配設された内側端子２２とを備え、外側端子２１が内側端子２２に対して相対的にスライド可能に構成され、保持部１３は、長尺の棒状に形成された本体部３１と、本体部３１の長さ方向に対してプローブ１１の長さ方向が９０°をなす状態でプローブ１１を取り付け可能な取り付け部３２と、本体部３１に配設された操作部と、操作部の操作に応じて外側端子２１の先端部２１ｂが内側端子２２の先端部２２ｂに対して接離するように外側端子２１をスライドさせる押圧機構３５とを備えている。【選択図】図４
2017096665.tif 000002
【特許請求の範囲】
【請求項１】
測定対象に接触させて当該測定対象に対する電気信号の入出力を行うためのプローブと、長尺に構成されると共に先端部で前記プローブを保持する保持部とを備えたプローブユニットであって、
前記プローブは、筒状の第１の部材と、当該第１の部材の内部に配設されて前記電気信号の入出力を行う端子として機能する第２の部材とを備え、前記両部材のいずれか一方の部材が他方の部材に対して相対的にスライド可能に構成され、
前記保持部は、長尺の棒状に形成された本体部と、当該本体部の先端部に配設されると共に当該本体部の長さ方向に対して前記プローブの長さ方向が予め決められた角度をなす状態で当該プローブを取り付け可能な取り付け部と、前記本体部の基端部側に配設された操作部と、当該操作部の操作に応じて前記プローブにおける前記一方の部材の先端部が前記他方の部材の先端部に対して接離するように当該一方の部材をスライドさせるスライド機構とを備えているプローブユニット。
【請求項２】
前記第１の部材が、前記電気信号の入出力を行う端子として機能する請求項１記載のプローブユニット。
【請求項３】
前記保持部は、前記プローブにおける前記一方の部材に外力が加えられていない状態において当該一方の部材の先端部が前記他方の部材の先端部よりも当該他方の部材の基端部側に位置するように当該一方の部材を付勢する付勢部を備え、
前記スライド機構は、前記操作部の操作に応じて前記プローブにおける前記一方の部材の先端部が前記他方の部材の先端部に近接する向きに当該一方の部材を前記付勢部の付勢力に抗して押圧する押圧機構で構成されている請求項１または２記載のプローブユニット。
【請求項４】
前記操作部は、前記本体部の長さ方向にスライドさせる操作が可能に構成され、
前記押圧機構は、前記本体部の長さ方向に沿って配設されると共に一端部が前記操作部に連結されて当該操作部のスライドに応じて当該長さ方向に移動させられるロッドと、当該ロッドの他端部に配設されて当該ロッドの移動に応じて前記一方の部材に対する押圧および押圧解除を行う押圧部とを備えて構成されている請求項３記載のプローブユニット。
【請求項５】
請求項１から４のいずれかに記載のプローブユニットと、当該プローブユニットの前記プローブを介して入出力する電気信号に基づいて前記測定対象の物理量を測定する測定部とを備えている測定装置。
【発明の詳細な説明】
【技術分野】
【０００１】
本発明は、測定対象に接触させて電気信号の入出力を行うためのプローブとプローブが先端部に配設される長尺の本体部とを備えたプローブユニット、およびそのプローブユニットを備えた測定装置に関するものである。
【背景技術】
【０００２】
この種のプローブユニットとして、下記特許文献１において出願人が開示したプローブユニットが知られている。このプローブユニットは、円筒状の外側端子、および外側端子に配設された円柱状の内側端子を有するプローブと、プローブが取り付けられる本体部とを備えて構成され、バッテリテスタに接続されて用いられる。このプローブユニットおよびバッテリテスタを用いて、測定対象のバッテリの抵抗値を測定する際には、プローブユニットのプローブをバッテリの電極に押し付ける。この際に、プローブの内側端子の先端部が電極に接触する。次いで、プローブの押し付けによって内側端子がプローブの基端部側にスライドすることにより、外側端子の先端部が電極に接触する。この状態において、バッテリテスタがプローブを介して入出力する電気信号に基づいてバッテリの抵抗値を算出し、抵抗値を表示部に表示させる。
【０００３】
一方、例えば、キャビネットの奥などの手が届き難い場所にバッテリが配置されているときには、バッテリの電極にプローブを押し付けることが困難なことがある。このような状況に対応するため、出願人は、本体部を長尺の棒状体に形成し、棒状体の長さ方向とプローブの長さ方向とが同方向となる状態で棒状体の先端部にプローブが取り付けられたプローブユニットを開発している。このプローブユニットでは、本体部が長尺の棒状体であるため、手が届き難い場所にバッテリが配置されている場合においても、バッテリの電極にプローブを押し付けることが可能となっている。
【先行技術文献】
【特許文献】
【０００４】
【特許文献１】特開２００７−２４８１３３号公報（第５−７頁、第２，４図）
【発明の概要】
【発明が解決しようとする課題】
【０００５】
ところが、上記のプローブユニット（本体部が長尺の棒状体で構成されたプローブユニット）にも、改善すべき以下の課題がある。すなわち、このプローブユニットでは、測定対象にプローブを押し付けることで、プローブにおける内側端子の先端部および外側端子の先端部の双方を接触させている。ここで、例えば、バッテリの電極が円柱状をなしている場合において、電極の端面（平らな部分）に対して上方から垂直にプローブを押し付けるときには、内側端子および外側端子の各先端部の双方を容易に接触させることができる。一方、本体部が長尺の棒状体であるプローブユニットを用いて手が届き難い場所に配置されているバッテリの電極に対して上方から垂直にプローブを押し付けるのが困難なことがある。このようなときには、電極の側面に対して横方向または斜め横方向からプローブを押し付けることとなる。この場合、上記したように電極が円柱状をなしているときには、電極の側面が曲面であるため、内側端子および外側端子の各先端部の双方を確実に接触させることが困難なことがある。このように上記のプローブユニットには、電極にプローブの先端部を確実に接触させることが困難なことがあり、この点の改善が望まれている。
【０００６】
本発明は、かかる課題に鑑みてなされたものであり、測定対象にプローブを確実に接触させ得るプローブユニットを提供することを主目的とする。
【課題を解決するための手段】
【０００７】
上記目的を達成すべく請求項１記載のプローブユニットは、測定対象に接触させて当該測定対象に対する電気信号の入出力を行うためのプローブと、長尺に構成されると共に先端部で前記プローブを保持する保持部とを備えたプローブユニットであって、前記プローブは、筒状の第１の部材と、当該第１の部材の内部に配設されて前記電気信号の入出力を行う端子として機能する第２の部材とを備え、前記両部材のいずれか一方の部材が他方の部材に対して相対的にスライド可能に構成され、前記保持部は、長尺の棒状に形成された本体部と、当該本体部の先端部に配設されると共に当該本体部の長さ方向に対して前記プローブの長さ方向が予め決められた角度をなす状態で当該プローブを取り付け可能な取り付け部と、前記本体部の基端部側に配設された操作部と、当該操作部の操作に応じて前記プローブにおける前記一方の部材の先端部が前記他方の部材の先端部に対して接離するように当該一方の部材をスライドさせるスライド機構とを備えている。
【０００８】
また、請求項２記載のプローブユニットは、請求項１記載のプローブユニットにおいて、前記第１の部材が、前記電気信号の入出力を行う端子として機能する。
【０００９】
また、請求項３記載のプローブユニットは、請求項１または２記載のプローブユニットにおいて、前記保持部は、前記プローブにおける前記一方の部材に外力が加えられていない状態において当該一方の部材の先端部が前記他方の部材の先端部よりも当該他方の部材の基端部側に位置するように当該一方の部材を付勢する付勢部を備え、前記スライド機構は、前記操作部の操作に応じて前記プローブにおける前記一方の部材の先端部が前記他方の部材の先端部に近接する向きに当該一方の部材を前記付勢部の付勢力に抗して押圧する押圧機構で構成されている。
【００１０】
また、請求項４記載のプローブユニットは、請求項３記載のプローブユニットにおいて、前記操作部は、前記本体部の長さ方向にスライドさせる操作が可能に構成され、前記押圧機構は、前記本体部の長さ方向に沿って配設されると共に一端部が前記操作部に連結されて当該操作部のスライドに応じて当該長さ方向に移動させられるロッドと、当該ロッドの他端部に配設されて当該ロッドの移動に応じて前記一方の部材に対する押圧および押圧解除を行う押圧部とを備えて構成されている。
【００１１】
また、請求項５記載の測定装置は、請求項１から４のいずれかに記載のプローブユニットと、当該プローブユニットの前記プローブを介して入出力する電気信号に基づいて前記測定対象の物理量を測定する測定部とを備えている。
【発明の効果】
【００１２】
請求項１記載のプローブユニット、および請求項５記載の測定装置によれば、長尺の本体部の長さ方向に対してプローブの長さ方向が予め決められた角度をなす状態で本体部の先端部にプローブが取り付けられ、操作部の操作に応じてスライド機構が一方の部材をスライドさせることにより、キャビネットの奥などの手が届き難い場所に測定対象が配置されている場合においても、例えば、測定対象の上面が平面であるときには、その上面に対してプローブの先端部を上方から近接させて、プローブにおける両部材の各先端部の双方を上面に確実に接触させることができる。
【００１３】
また、請求項２記載のプローブユニット、および請求項５記載の測定装置によれば、第１の部材が電気信号の入出力を行う端子として機能するプローブを用いることにより、４端子法測定に利用することが可能となり、このプローブを用いて４端子法で測定対象の物理量を測定する際に、プローブにおける２つの端子の各先端部の双方を測定対象に確実に接触させることができる。
【００１４】
また、請求項３記載のプローブユニット、および請求項５記載の測定装置によれば、プローブにおける一方の部材の先端部が他方の部材の先端部よりも他方の部材の基端部側に位置するように一方の部材を付勢する付勢部を備え、操作部の操作に応じてプローブにおける一方の部材の先端部が他方の部材の先端部に近接する向きに一方の部材を前記付勢部の付勢力に抗して押圧する押圧機構でスライド機構を構成したことにより、プローブにおける一方の部材を測定対象に接触させる際に、付勢部の付勢力を一方の部材を介して測定対象に作用させることができるため、つまり付勢部の付勢力に相当する安定した力で一方の部材を測定対象に押し付けることができるため、一方の部材をより確実に接触させることができる。
【００１５】
また、請求項４記載のプローブユニット、および請求項５記載の測定装置によれば、本体部の長さ方向にスライドさせる操作が可能に操作部を構成し、操作部のスライドに応じて長さ方向に移動させられるロッドと、ロッドの移動に応じて一方の部材に対する押圧および押圧解除を行う押圧部とを備えて押圧機構を構成したことにより、操作部を本体部の長さ方向にスライドさせる簡易な操作で、プローブにおける２つの端子の各先端部の双方を測定対象に確実に接触させることができるため、操作性を十分に向上させることができる。
【図面の簡単な説明】
【００１６】
【図１】バッテリテスタ１の構成を示す構成図である。
【図２】プローブユニット６の平面図である。
【図３】プローブ１１の平面図である。
【図４】プローブユニット６における押圧機構３５の構成を示す構成図である。
【図５】プローブユニット６の使用方法を説明する説明図である。
【図６】プローブユニット６の動作を説明する第１の説明図である。
【図７】プローブユニット６の動作を説明する第２の説明図である。
【図８】プローブユニット１０６の構成を示す構成図である。
【発明を実施するための形態】
【００１７】
以下、プローブユニットおよび測定装置の最良の形態について、添付図面を参照して説明する。
【００１８】
最初に、測定装置の一例としての図１に示すバッテリテスタ１の構成について説明する。バッテリテスタ１は、同図に示すように、電源部２、電圧検出部３、表示部４、処理部５および一対のプローブユニット６（図２も参照）を備え、測定対象の一例としてのバッテリ２００の抵抗（物理量の一例）を測定可能に構成されている。
【００１９】
電源部２は、測定用の電流を出力可能に構成されている。この場合、電源部２から出力された電流は、図２に示すプローブユニット６のプローブ１１を介してバッテリ２００の電極２０１，２０１に供給される。電圧検出部３は、処理部５の制御に従い、バッテリ２００の電極２０１，２０１に電流が供給されたときの電極２０１，２０１間の電圧を検出する。
【００２０】
表示部４は、処理部５の制御に従い、測定されたバッテリ２００の抵抗値等を表示する。処理部５は、バッテリテスタ１を構成する各部を制御する。また、処理部５は、測定部として機能し、電圧検出部３によって検出された電圧の電圧値、および電源部２から出力された電流の電流値に基づいてバッテリ２００の抵抗値を測定（算出）すると共に測定した抵抗値を表示部４に表示させる測定処理を実行する。
【００２１】
プローブユニット６は、図２に示すように、プローブ１１および保持部１３を備えて構成されている。
【００２２】
プローブ１１は、バッテリ２００（測定対象）の抵抗（物理量）を測定する際に、バッテリ２００の電極２０１に先端部１１ｂ（図３参照）を接触させてバッテリ２００に対する電気信号（電流信号および電圧信号）の入出力を行うためのプローブであって、図２に示すように、基端部１１ａ側（図３参照）が保持部１３の先端部１３ｂに保持されている。また、プローブ１１は、図３に示すように、外側端子２１および内側端子２２を備えて構成されている。
【００２３】
外側端子２１は、第１の部材に相当し、図３に示すように、筒状に形成されている。また、外側端子２１は、導電性を有する材料（例えば、金属）で形成されて、測定の際に電気信号の入出力（例えば、電流信号の出力（供給））に用いられる端子として機能する。
【００２４】
内側端子２２は、第２の部材に相当し、図３に示すように、円柱状に形成されて、外側端子２１と絶縁された状態で外側端子２１の内部に配設されている。また、内側端子２２は、導電性を有する材料（例えば、金属）で形成されて、測定の際に電気信号の入出力（例えば、電圧信号の出力）に用いられる端子として機能する。
【００２５】
この場合、このプローブ１１では、図４に示すように、内側端子２２が保持部１３の取り付け部３２に固定され、外側端子２１が内側端子２２に対して相対的にスライド可能に構成されている。また、このプローブ１１では、同図に示すように、内側端子２２に対して外力（プローブユニット６を構成する各構成要素から加わる力以外の力）が加えられていない状態において、外側端子２１の先端部２１ｂが内側端子２２の先端部２２ｂよりも内側端子２２の基端部２２ａ側に位置するように、後述する保持部１３の付勢部３３の付勢力によって同図における上向きに付勢されている（つまり外側端子２１の先端部２１ｂが内側端子２２の基端部２２ａ側に向けて付勢されている）。
【００２６】
保持部１３は、図２に示すように、本体部３１、取り付け部３２、付勢部３３（図４参照）、操作部３４および押圧機構３５を備えて構成されている。
【００２７】
本体部３１は、図２に示すように長尺の棒状（一例として、円筒状）に形成されている。また、本体部３１の基端部３１ａには、グリップ３１ｃが取り付けられている。
【００２８】
取り付け部３２は、一例として円筒状に形成されて、図２に示すように、本体部３１の先端部３１ｂに配設されている。また、取り付け部３２は、本体部３１の長さ方向に対してプローブ１１の長さ方向が９０°（予め決められた角度の一例）をなす状態でプローブ１１を取り付け可能に構成されている。この場合、取り付け部３２は、図４に示すように、先端面３２ａに形成された挿通孔３２ｂにプローブ１１の外側端子２１をプローブ１１の長さ方向に移動可能に挿通させた状態で、内部に設けられた支持部３２ｃによってプローブ１１の内側端子２２を固定することによってプローブ１１を支持する。なお、図４では、図２に示す状態のプローブユニット６を−９０°回転させた状態で図示している。また、図４では、本体部３１および取り付け部３２の一部（同図における紙面手前側）を切り欠いた状態で図示している。
【００２９】
付勢部３３は、図４に示すように、一例としてコイルばねで構成されて、取り付け部３２の内部に収容（配設）されている。この付勢部３３は、プローブ１１における外側端子２１の先端部２１ｂが内側端子２２の先端部２２ｂよりも内側端子２２の基端部２２ａ側に位置する向きに外側端子２１を付勢する。
【００３０】
操作部３４は、図２に示すように、本体部３１の基端部３１ａ側に配設されている。また、操作部３４は、本体部３１の長さ方向にスライドさせる操作が可能に構成されている。
【００３１】
押圧機構３５は、スライド機構の一例であって、操作部３４の操作（スライド操作）に応じてプローブ１１における外側端子２１（一方の部材）の先端部２１ｂが内側端子２２（他方の部材）の先端部２２ｂに近接する向き（図４における下向き）に外側端子２１を付勢部３３の付勢力に抗して押圧可能に（先端部２１ｂが先端部２２ｂに接離するように外側端子２１をスライド可能に）構成されている。具体的には、押圧機構３５は、図４に示すように、ロッド４１および押圧部４２を備えて構成されている。
【００３２】
ロッド４１は、図２に示すように、本体部３１の長さ方向に沿って本体部３１の内部に配設されている。また、ロッド４１は、基端部４１ａ（一端部：同図における上端部）が操作部３４に連結されて操作部３４のスライドに応じて本体部３１の長さ方向に移動させられる。また、図４に示すように、本体部３１の内周面とロッド４１との間には、本体部３１に対するロッド４１の芯ずれを防止するためのブッシュ４１ｃが配設されている。
【００３３】
押圧部４２は、図４に示すように、取り付け部３２の内部において、ロッド４１の先端部４１ｂ（他端部）に配設され、ロッド４１の移動に応じてプローブ１１の外側端子２１（一方の部材）に対する押圧および押圧解除を行う。この場合、押圧部４２は、同図に示すように、リンク５１ａ，５１ｂ、押圧板５２および連結部５３を備えて構成されている。
【００３４】
リンク５１ａは、一端部がロッド４１の先端部４１ｂに回動可能に連結され、他端部がリンク５１ｂの一端部に回動可能に連結されている。また、リンク５１ｂの他端部は、連結部５３に回動可能に連結されている。押圧板５２は、プローブ１１における外側端子２１の基端部２１ａ側に固定され、連結部５３は、押圧板５２に固定されている。この押圧部４２では、各リンク５１ａ，５１ｂおよび連結部５３によってリンク機構が構成され、このリンク機構が、本体部３１の長さ方向へのロッド４１の移動をその方向に対して９０°をなす方向（プローブ１１の長さ方向）への押圧板５２の移動に変換し、この押圧板５２の移動によってプローブ１１の外側端子２１に対する押圧および押圧解除を行うことが可能となっている。
【００３５】
次に、バッテリテスタ１の使用方法について、図面を参照して説明する。一例として、図５に示すように、キャビネット３００の奥に配置されているバッテリ２００の抵抗値を測定する例について説明する。なお、同図に示すように、バッテリ２００は、上面２０１ａが平面で側面が曲面の円柱状に形成された２つの電極２０１を有しているものとする。
【００３６】
まず、図外の操作スイッチを操作して、処理部５に対して、測定処理の実行を指示する。この測定処理では、処理部５は、電源部２を制御して電流を生成させる。次いで、各プローブユニット６における各プローブ１１の先端部１１ｂ（図３参照）をバッテリ２００の電極２０１，２０１に当接させる。
【００３７】
具体的には、図５に示すように、キャビネット３００の開口部３０１から一方のプローブユニット６における保持部１３の先端部１３ｂをキャビネット３００の内部に挿入する。続いて、図６に示すように、バッテリ２００における一方の電極２０１の上方から、電極２０１における平面である上面２０１ａに対してプローブ１１の先端部１１ｂを近接させ、次いで、プローブ１１における内側端子２２の先端部２２ｂを上面２０１ａに接触させる。
【００３８】
続いて、プローブユニット６における保持部１３の操作部３４（図２参照）を、図７に示すように、本体部３１の先端部３１ｂ側にスライドさせる。この際に、操作部３４に連結されているロッド４１が同図に示す矢印Ａの向き（本体部３１の長さ方向）に移動させられる。また、押圧機構３５のリンク５１ａ，５１ｂおよび連結部５３によって構成されるリンク機構が、矢印Ａの向きへのロッド４１の移動を同図に示す矢印Ｂの向き（長さ方向に対して９０°をなす方向）への押圧板５２の移動に変換する。このため、押圧板５２の移動によって押圧板５２に固定されているプローブ１１の外側端子２１が付勢部３３の付勢力に抗して、同図における下向き（外側端子２１の先端部２１ｂが内側端子２２の先端部２２ｂに近接する向き）に押圧される。
【００３９】
次いで、操作部３４を本体部３１の先端部３１ｂ側にさらにスライドさせることにより、図７に示すように、外側端子２１の先端部２１ｂが電極２０１の上面２０１ａに接触する。これにより、プローブ１１を構成する外側端子２１の先端部２１ｂおよび内側端子２２の先端部２２ｂの双方が上面２０１ａに接触する。続いて、同様にして、もう一方のプローブユニット６におけるプローブ１１の先端部１１ｂ（外側端子２１の先端部２１ｂおよび内側端子２２の先端部２２ｂの双方）をバッテリ２００の他方の電極２０１の上面２０１ａに当接させる。
【００４０】
この場合、このプローブユニット６では、長尺の本体部３１の長さ方向に対してプローブ１１の長さ方向が９０°をなす状態で本体部３１の先端部３１ｂにプローブ１１が取り付けられ、操作部３４の操作に応じて押圧機構３５がプローブ１１の外側端子２１を下向き（外側端子２１の先端部２１ｂが内側端子２２の先端部２２ｂに近接する向き）に押圧する。このため、このプローブユニット６およびバッテリテスタ１では、上記したように、キャビネット３００の奥などの手が届き難い場所にバッテリ２００が配置されている場合においても、プローブ１１の先端部１１ｂをバッテリ２００の電極２０１における平面である上面２０１ａに対して上方から近接させてプローブ１１の外側端子２１および内側端子２２の各先端部２１ｂ，２２ｂの双方を確実に接触させることができる。
【００４１】
一方、各プローブユニット６におけるプローブ１１の先端部１１ｂが電極２０１の上面２０１ａに当接したときには、各プローブ１１の外側端子２１を介して電源部２からの電流がバッテリ２００の電極２０１，２０１間に供給される。次いで、電圧検出部３が、電流の供給によって電極２０１，２０１間に生じる電圧の電圧値を検出する。続いて、処理部５が、電圧検出部３によって検出された電圧値と電源部２から出力された電流の電流値とに基づいてバッテリ２００の抵抗値を測定（算出）する。次いで、処理部５は、測定した抵抗値を表示部４に表示させて、測定処理を終了する。
【００４２】
次に、処理部５による測定処理が終了したときには、操作部３４を本体部３１の基端部３１ａ側（図２参照）にスライドさせる。この際に、付勢部３３の付勢力によって押圧板５２が上方に移動させられ、これによって外側端子２１の先端部２１ｂが内側端子２２の先端部２２ｂよりも内側端子２２の基端部２２ａ側に位置するように（図７における上向きに）移動させられる。続いて、キャビネット３００の開口部３０１から各プローブユニット６を引き抜く。
【００４３】
このように、このプローブユニット６およびバッテリテスタ１によれば、長尺の本体部３１の長さ方向に対してプローブ１１の長さ方向が９０°をなす状態で本体部３１の先端部３１ｂにプローブ１１が取り付けられ、操作部３４の操作に応じて押圧機構３５が外側端子２１をスライドさせることにより、キャビネット３００の奥などの手が届き難い場所にバッテリ２００が配置されている場合においても、バッテリ２００の電極２０１における平面である上面２０１ａに対してプローブ１１の先端部１１ｂを上方から近接させて、プローブ１１の外側端子２１および内側端子２２の各先端部２１ｂ，２２ｂの双方を上面２０１ａに確実に接触させることができる。
【００４４】
また、このプローブユニット６およびバッテリテスタ１によれば、第１の部材が電気信号の入出力を行う外側端子２１として機能するプローブ１１を用いることにより、４端子法測定に利用することが可能となり、プローブ１１を用いて４端子法でバッテリ２００の抵抗を測定する際に、プローブ１１の外側端子２１および内側端子２２の各先端部２１ｂ，２２ｂの双方をバッテリ２００の電極２０１の上面２０１ａに確実に接触させることができる。
【００４５】
また、このプローブユニット６およびバッテリテスタ１によれば、プローブ１１における外側端子２１の先端部２１ｂが内側端子２２の先端部２２ｂよりも内側端子２２の基端部２２ａ側に位置するように外側端子２１を付勢する付勢部３３を備え、操作部３４の操作に応じて押圧機構３５がプローブ１１の外側端子２１を付勢部３３の付勢力に抗して下向き（外側端子２１の先端部２１ｂが内側端子２２の先端部２２ｂに近接する向き）に押圧することにより、バッテリ２００の電極２０１の上面２０１ａに接触させる際に、付勢部３３の付勢力を外側端子２１を介して上面２０１ａに作用させることができるため、つまり付勢部３３の付勢力に相当する安定した力で外側端子２１を上面２０１ａに押し付けることができるため、外側端子２１をより確実に接触させることができる。
【００４６】
また、このプローブユニット６およびバッテリテスタ１によれば、本体部３１の長さ方向にスライドさせる操作が可能に操作部３４を構成し、操作部３４のスライドに応じて長さ方向に移動させられるロッド４１と、ロッド４１の移動に応じて外側端子２１に対する押圧および押圧解除を行う押圧部４２とを備えて押圧機構３５を構成したことにより、操作部３４を本体部３１の長さ方向にスライドさせる簡易な操作でプローブ１１の外側端子２１および内側端子２２の各先端部２１ｂ，２２ｂの双方をバッテリ２００の電極２０１の上面２０１ａに確実に接触させることができるため、操作性を十分に向上させることができる。
【００４７】
なお、本発明は、上記の構成に限定されない。例えば、リンク５１ａ，５１ｂおよび連結部５３で構成されるリンク機構を有する押圧機構３５を備えた例について上記したが、押圧機構３５は一例であって、他の構成の押圧機構を採用することもできる。具体的には、図８に示す押圧機構１３５を採用することができる。なお、以下の説明において、上記した押圧機構３５と同じ構成要素については、同じ符号を付して、重複する説明を省略する。
【００４８】
この押圧機構１３５は、上記した押圧機構３５の押圧部４２に代えて、押圧部１４２を備えている。押圧部１４２は、図８に示すように、フレキシブルロッド１５１、ガイドパイプ１５３および押圧板５２を備えて構成されている。フレキシブルロッド１５１は、柔軟性を有する（弾性変形または塑性変形可能な）断面が円形のロッドであって、同図に示すように、ロッド４１の先端部４１ｂに取り付けられている。ガイドパイプ１５３は、同図に示すように、平面視が円弧状で断面が円形のフレキシブルロッド１５１を挿通可能なパイプで構成されて、取り付け部３２の内部に固定されている。このガイドパイプ１５３は、本体部３１の長さ方向（同図における左右方向）へのフレキシブルロッド１５１の移動をその方向に対して９０°をなす方向（同図における上下方向）への移動に変換するようにフレキシブルロッド１５１をガイドする機能を有している。
【００４９】
この押圧機構１３５を備えたプローブユニット１０６では、操作部３４を本体部３１の先端部３１ｂ側にスライドさせたときに、ロッド４１およびフレキシブルロッド１５１が図８に示す矢印Ａの向き（本体部３１の長さ方向）に移動させられる。また、矢印Ａの向きへのフレキシブルロッド１５１の移動がガイドパイプ１５３によって矢印Ｂの向きに変換さる。この結果、押圧板５２が矢印Ｂの向きに移動し、押圧板５２に固定されているプローブ１１の外側端子２１が付勢部３３の付勢力に抗して、同図における下向き（外側端子２１の先端部２１ｂが内側端子２２の先端部２２ｂに近接する向き）に押圧される。
【００５０】
また、上記した押圧機構３５，１３５以外の構成として、カムを用いた押圧機構を採用することもできる。また、本体部３１の長さ方向にスライドさせる操作が可能な操作部３４を採用した例について上記したが、回転させる操作が可能な操作部と、操作部の回転操作に応じてロッド４１を本体部３１の長さ方向に移動させるねじ式の押圧機構とを備えた構成を採用することもできる。
【００５１】
また、内側端子２２が取り付け部３２に固定されると共に外側端子２１が内側端子２２に対して相対的に移動するプローブ１１を用いる例について上記したが、外側端子２１が取り付け部３２に固定されると共に内側端子２２が外側端子２１に対して相対的に移動するプローブを用いる構成を採用することもできる。
【００５２】
また、筒状の第１の部材が電気信号の入出力を行う外側端子２１として機能するように構成したプローブ１１を用いる例について上記したが、第１の部材を非導電性の材料で構成して、第１の部材が絶縁用のカバーとして機能するように構成したプローブを用いる構成を採用することもできる。
【００５３】
また、取り付け部３２の内部に付勢部３３を収容（配設）した例について上記したが、取り付け部３２の外部に付勢部３３を配設する構成を採用することもできる。また、コイルばねで構成した付勢部３３を用いる例について上記したが、他の部材（コイルばね以外のばねや、ゴム等の弾性材料）で構成した付勢部を採用することもできる。
【００５４】
また、付勢部３３を備えていない構成を採用することもできる。この構成では、付勢部３３の付勢力を外側端子２１（一方の部材）に作用させることなく、操作部３４の操作（上記したプローブユニット６，１０６ではスライドさせる操作）だけで、外側端子２１および内側端子２２における各々の先端部２１ｂ，２２ｂ同士が近接する向き、および各々の先端部２１ｂ，２２ｂ同士が離間する向きに、外側端子２１を内側端子２２に対してスライドさせることができる。
【００５５】
また、本体部３１の長さ方向に対してプローブ１１の長さ方向が９０°をなす状態で本体部３１の先端部３１ｂにプローブ１１を取り付けた例について上記したが、本体部３１の長さ方向に対するプローブ１１の長さ方向がなす角度は、９０°に限定されず、本体部３１の長さ方向とプローブ１１の長さ方向とが同じ方向とはならない限り（つまり、１８０°とはならない限り）任意の角度に規定することができる。
【００５６】
また、測定装置としてのバッテリテスタ１にプローブユニット６を用いる例について上記したが、バッテリテスタ１以外の各種の測定装置にプローブユニット６を用いることができる。
【符号の説明】
【００５７】
１  バッテリテスタ
５  処理部
６，１０６  プローブユニット
１１  プローブ
１３  保持部
２１  外側端子
２１ｂ  先端部
２２  内側端子
２２ａ  基端部
２２ｂ  先端部
３１  本体部
３１ｂ  先端部
３２  取り付け部
３３  付勢部
３４  操作部
３５，１３５  押圧機構
４１  ロッド
４２，１４２  押圧部
２００  バッテリ
２０１  電極
２０１ａ  上面
【図１】
2017096665.tif 000003
【図２】
2017096665.tif 000004
【図３】
2017096665.tif 000005
【図４】
2017096665.tif 000006
【図５】
2017096665.tif 000007
【図６】
2017096665.tif 000008
【図７】
2017096665.tif 000009
【図８】
2017096665.tif 000010